(57)【要約】【課題】  スパナ等の道具を使う必要がなく、しかも、確実に接続状態を維持できる伸縮式梯子を提供する。【解決手段】  本考案の伸縮式梯子１００は、対向配置された側柱１１１，１１２又は１２１，１２２の間に複数の踏み板１１３，１２３を設けた２つの梯子体１１０，１２０を接続具１３０で接続したものである。この接続具１３０は、枠体１３１と、側柱１１２に形成された孔１１２ｇと、この孔１１２ｇに進退自在な棒状体１３４と、楔部材１３６とを有する。側柱１１２と１２２とをスライドさせて、伸縮式梯子１００が所望の長さになったとき、楔部材１３６をスライドして側柱１１２を側柱１２２に圧接させることで前記枠体と側柱とを仮止めする。その後、棒状体１３４を孔１１２ｇに挿入することで、確実に接続状態を維持できる。また、スパナなどの道具は全く不要である。【選択図】      図１
0003127879.tif 000002
【実用新案登録請求の範囲】
【請求項１】
対向配置された側柱間に複数の踏み板を設けた２つの梯子体を、前記側柱同士が長さ方向の少なくとも一部で重なるように、かつ、長さ方向に摺動自在に重ね、摺動することで２つの梯子体が所定の長さになったとき、重なった２本の側柱を固定する接続具であって、前記接続具が、重ねられた前記２本の側柱の一方に固定されて他方の側柱と対向する部分を有する枠体と、前記他方の側柱に形成された被係止部に係止・解除が可能な係止部と、前記他方の側柱と前記枠体との間にスライド自在に嵌装される楔部材と、該楔部材をスライドして前記他方の側柱を前記一方の側柱に圧接させることで前記枠体と側柱とを仮止めする操作部とを有することを特徴とする接続具。
【請求項２】
前記係止部が被係止部としての孔に進退自在な棒状体からなり、該係止部と前記枠体の一方に螺旋溝を設け、他方に該螺旋溝に進入する凸部を設け、前記棒状体をその中心軸回りに回転させる取手を設け、該取手により前記棒状体を１／４〜３／４回転左右に回動させることによって、棒状体が進退し、前記係止部と被係止部との係止・解除を可能としたことを特徴とする請求項１記載の接続具。
【請求項３】
前記係止部が被係止部としての孔に進退自在な棒状体からなり、該係止部と前記枠体の一方に螺旋面を設け、他方に該螺旋面に接触可能な凸部を設け、該凸部を前記螺旋面に圧接させる弾性体を備え、前記棒状体をその中心軸回りに回転させる取手を設け、該取手により前記棒状体を１／４〜３／４回転左右に回動させることによって、棒状体が進退し、前記係止部と被係止部との係止・解除を可能としたことを特徴とする請求項１記載の接続具。
【請求項４】
前記枠体に長孔を穿設し、該長孔を前記楔部材の操作部が貫通して前記枠体の外側に操作部が突出していることを特徴とする請求項１から３のいずれかに記載の接続具。
【請求項５】
対向配置された側柱間に複数の踏み板を設けた２つの梯子体を、前記側柱同士が長さ方向の一部で重なるように、かつ、長さ方向に伸縮自在に重ね、重ねられた２つの梯子体が所定の長さになったとき重なった２本の側柱を接続具で接続する伸縮式梯子であって、前記接続具が、重ねられた前記２本の側柱の一方に固定されて他方の側柱を少なくとも２方向から囲む枠体と、前記他方の側柱に形成された被係止部と、前記枠体に設けられ前記被係止部に係止・解除が可能な係止部と、前記他方の側柱と前記枠体との間にスライド自在に設けられた楔部材と、該楔部材をスライドして前記他方の側柱を前記一方の側柱に圧接させることで前記枠体と側柱とを仮止めする操作部とを有することを特徴とする伸縮式梯子。
【請求項６】
前記一方の側柱が突起部を有し、該突起部が板状部と該板上部の先端に形成された拡大部とから構成され、前記他方の側柱が、前記拡大部が移動自在な空間と、前記板状部が進入可能な前記空間の開口とを有し、前記突起部が前記開口内をスライドすることで、前記２つの梯子体が伸縮可能に結合することを特徴とする請求項５に記載の伸縮式梯子。
【請求項７】
前記踏み板が、両側の側柱に回動自在に取り付けられていることを特徴とする請求項５又は６記載の伸縮式梯子。
【請求項８】
対向配置された側柱間に複数の踏み板を設けた２つの梯子体を、前記側柱同士が長さ方向の一部で重なるように、かつ、長さ方向に伸縮自在に重ね、重ねられた２つの梯子体が所定の長さになったとき重なった２本の側柱を接続具で接続する伸縮式梯子であって、前記一方の側柱が突起部を有し、該突起部が板状部と該板上部の先端に形成された拡大部とから構成され、前記他方の側柱が、前記拡大部が移動自在な空間と、前記板状部が進入可能な空間の開口とを有し、前記突起部が前記開口内をスライドすることで、前記２つの梯子体が伸縮可能に結合することを特徴とする伸縮式梯子。
【考案の詳細な説明】
【技術分野】
【０００１】
本考案は伸縮式梯子とその接続具に関する。
【背景技術】
【０００２】
左右に配置された側柱間に複数の踏み板を設けた梯子体を、上下につないで使用する伸縮式の梯子がある。上下の梯子は、側柱同士が重なり合って、長さ方向にスライドすることで、梯子の長さを変更できるようになっている。このような梯子は、任意の長さに伸ばした状態で使用するとき、その長さを維持するための構成が必要となる。
【０００３】
このような目的に使用される接続具として、２本の側柱のそれぞれに孔を開けておき、２本の側柱の孔が重なったとき、棒状の接続具を挿入して固定するものがある。
【０００４】
しかし、この方法では、棒状の接続具が抜け易く、安全性に欠ける。そこで、これを改良した接続具として、接続部ボルトを使用することが行われている。これは、手前側の側柱に通し孔を開けておき、奥側の側柱に雌ねじ孔を開け、梯子を伸ばして所望の長さになったとき、２本の側柱のそれぞれの孔が重なるようにし、重なった孔にボルトをそう通してねじ込んで固定するものである。ボルトを堅くねじ込むことで、外れる心配がなく、上下の梯子を固く連結することが可能である。
【考案の開示】
【考案が解決しようとする課題】
【０００５】
しかしながら、上記の接続具は、ボルトをスパナで堅く締め付けるために、梯子を使用するときはスパナが必須となり、不便である。また、孔を重ねる作業に時間が掛かる。本考案は、このような実情から考えられたもので、スパナ等の道具を使う必要がなく、しかも、簡単で、確実に接続状態を維持できる接続具と、この接続具を備えた伸縮式梯子を提供することを目的としている。
【０００６】
さらに、従来の伸縮梯子は、上下の梯子体の側柱の重なり状態を、枠状の接続具だけで保持していたので、接続具を大きく丈夫に作らなければならなかった。本考案は、接続具に依存しないで上下の梯子体の重なり状態を保持できる伸縮式梯子を提供することを目的としている。
【課題を解決するための手段】
【０００７】
上記の目的を達成するために本考案の接続具は、対向配置された側柱間に複数の踏み板を設けた２つの梯子体を、前記側柱同士が長さ方向の少なくとも一部で重なるように、かつ、長さ方向に摺動自在に重ね、摺動することで２つの梯子体が所定の長さになったとき、重なった２本の側柱を固定する接続具であって、前記接続具が、重ねられた前記２本の側柱の一方に固定されて他方の側柱と対向する部分を有する枠体と、前記他方の側柱に形成された被係止部に係止・解除が可能な係止部と、前記他方の側柱と前記枠体との間にスライド自在に嵌装される楔部材と、該楔部材をスライドして前記他方の側柱を前記一方の側柱に圧接させることで前記枠体と側柱とを仮止めする操作部とを有することを特徴としている。
【０００８】
前記係止部が被係止部としての孔に進退自在な棒状体からなり、該係止部と前記枠体の一方に螺旋溝を設け、他方に該螺旋溝に進入する凸部を設け、前記棒状体をその中心軸回りに回転させる取手を設け、該取手により前記棒状体を１／４〜３／４回転左右に回動させることによって、棒状体が進退し、前記係止部と被係止部との係止・解除を可能とした構成とすることができる。
【０００９】
前記係止部が被係止部としての孔に進退自在な棒状体からなり、該係止部と前記枠体の一方に螺旋面を設け、他方に該螺旋面に接触可能な凸部を設け、該凸部を前記螺旋面に圧接させる弾性体を備え、前記棒状体をその中心軸回りに回転させる取手を設け、該取手により前記棒状体を１／４〜３／４回転左右に回動させることによって、棒状体が進退し、前記係止部と被係止部との係止・解除を可能とした構成としてもよい。
【００１０】
前記枠体に長孔を穿設し、該長孔を前記楔部材の操作部が貫通して前記枠体の外側に操作部が突出している構成としてもよい。
【００１１】
上記の目的を達成する本考案の伸縮式梯子は、対向配置された側柱間に複数の踏み板を設けた２つの梯子体を、前記側柱同士が長さ方向の一部で重なるように、かつ、長さ方向に伸縮自在に重ね、重ねられた２つの梯子体が所定の長さになったとき重なった２本の側柱を接続具で接続する伸縮式梯子であって、前記接続具が、重ねられた前記２本の側柱の一方に固定されて他方の側柱を少なくとも２方向から囲む枠体と、前記他方の側柱に形成された被係止部と、前記枠体に設けられ前記被係止部に係止・解除が可能な係止部と、前記他方の側柱と前記枠体との間にスライド自在に設けられた楔部材と、該楔部材をスライドして前記他方の側柱を前記一方の側柱に圧接させることで前記枠体と側柱とを仮止めする操作部とを有することを特徴としている。
【００１２】
前記一方の側柱が突起部を有し、該突起部が板状部と該板上部の先端に形成された拡大部とから構成され、前記他方の側柱が、前記拡大部が移動自在な空間と、前記板状部が進入可能な前記空間の開口とを有し、前記突起部が前記開口内をスライドすることで、前記２つの梯子体が伸縮可能に結合する構成としてもよい。または、前記踏み板が、両側の側柱に回動自在に取り付けられている構成とすることができる。
【００１３】
本考案の別の伸縮式梯子は、対向配置された側柱間に複数の踏み板を設けた２つの梯子体を、前記側柱同士が長さ方向の一部で重なるように、かつ、長さ方向に伸縮自在に重ね、重ねられた２つの梯子体が所定の長さになったとき重なった２本の側柱を接続具で接続する伸縮式梯子であって、前記一方の側柱が突起部を有し、該突起部が板状部と該板上部の先端に形成された拡大部とから構成され、前記他方の側柱が、前記拡大部が移動自在な空間と、前記板状部が進入可能な空間の開口とを有し、前記突起部が前記開口内をスライドすることで、前記２つの梯子体が伸縮可能に結合することを特徴としている。
【考案の効果】
【００１４】
本考案によれば、上下の梯子体の側柱を重ねて、伸縮自在にした梯子において、側柱をスライドさせて、梯子の長さを所望の長さにしたとき、接続部に設けた楔部材を差し込むことで上下の側柱を仮止めすることができ、その後、係止部を被係止部に係止されることで、簡単に、かつ、確実に上下の梯子体を接続できるという優れた効果を奏し得る。
【００１５】
係止部が被係止部としての孔に進退自在な棒状体からなり、棒状体を１／４〜３／４回転左右に回動させることによって係止できる構成にすれば、ワンタッチで接続することができるという効果を奏する。
【考案を実施するための最良の形態】
【００１６】
以下、本考案の実施の形態を、添付図面を参照して説明する。
【００１７】
図１は、本考案の伸縮式梯子の図で、（ａ）は正面図、（ｂ）は側面図である。本考案の伸縮式梯子１００は、上下２つの梯子体１１０と１２０とから構成されている。２つの梯子体はほぼ同じ構成で、左右の側柱１１１，１１２又は側柱１２１，１２２の間に複数の踏み板１１３又は１２３を回動自在に設けた構成である。踏み板１１３，１２３が回動自在なので、本考案の伸縮式梯子１００は伸縮と共に、折り畳みも可能でもある。また、踏み板１１３，１２３が回動可能なので、倒れ防止の筋交１１６等が設けられているが、これについては、後述する。２つの梯子体１１０，１２０は、中間に接続具１３０を有し、伸縮式梯子１００の長さを所望の長さに変更したとき、その長さを維持することができる。
【００１８】
図２は図１の伸縮式梯子を折り畳んだ状態を示す図で、（ａ）は正面図、（ｂ）は側面図である。図３は、図１のＡ−Ａ線で切断した拡大断面図で、図４（ａ）は上の梯子体の側柱１１２の断面図、（ｂ）は下の梯子体の側柱１２２の断面図ある。
【００１９】
側柱１１２は、Ｃ字状の本体部１１２ａと、この本体部１１２ａの一方側に形成された突起部１１２ｂとを有する。突起部１１２ｂは、板状部１１２ｃと拡大部１１２ｄとから構成される。また、本体部１１２ａには、突起部１１２ｂと直交する方向に２本のリブ１１２ｆを備えている。これら２本のリブ１１２ｆの間には、踏み板１１３が回動自在に固定される。
【００２０】
他方の側柱１２２も側柱１１２と同じ構造である。すなわち、Ｃ字状の本体部１２２ａと、この本体部１２２ａに形成された突起部１２２ｂとを有し、突起部１２２ｂは、板状部１２２ｃと拡大部１２２ｄとから構成される。本体部１２２ａの内部には空間１２２ｅがあり、空間１２２ｅには開口１２２ｅ’が設けられている。また、本体部１２２ａには、突起部１２２ｂと直交する方向に２本のリブ１２２ｆを備えている。これら２本のリブ１２２ｆの間には、踏み板１２３が回動自在に固定される。側柱１１１，１２１も同様の構造になっている。このような側柱は、アルミニウムの押し出し成形や、プラスチックの成形により製造することができる。
【００２１】
本体部１１２ａは、Ｃ字状で、内部には空間１１２ｅがある。そして、空間１１２ｅの出入口となるＣ字の開口１１２ｅ’の幅ｄは、板状部１１２ｃの厚さｔより大きく、拡大部１１２ｄの径Ｄより小さい。したがって、図３に示すように、側柱１２２の拡大部１２２ｄが、側柱１１２の空間１１２ｅ内に入った状態になると、側柱１２２が側柱１１２から離れようとしても、拡大部１２２ｄが抜け出ないので、離れることができない。他方の側柱１１１と１２１も同じ形状であり、同じく離れられない構造である。したがって、本考案の伸縮梯子は、接続具の構造を簡単なものにすることができる。
【００２２】
接続具１３０は、コ字形の枠体１３１を有している。この枠体１３１は、一方の側柱１２２にボルト１３２で固定されている。枠体１３１の他方は、他方の側柱１１２と２方向で対向しており、２本の側柱１１２，１２２と同時に対向する大きい方の辺には、中空円筒形状のケース１３３が固定され、その内部に係止部としての棒状体１３４が回動自在に支持されている。棒状体１３４は先端が側柱１１２の板状部１１２ｃに穿設された被係止部としての孔１１２ｇに進入することで、２本の側柱１１２，１２２を接続固定する。
【００２３】
ケース１３３内の棒状体１３４には、太径部１３５が一体的に設けられ、この太径部１３５には、螺旋溝１３５ａが形成されていて、ケース１３３の内壁に設けられた凸部１３３ａがこの螺旋溝１３５ａ内に嵌入している。棒状体１３４の基端側はほぼ９０゜曲がって取手１３４ａとなっている。螺旋溝１３５ａのピッチは大きく、取手１３４ａを掴んで棒状体１３４を１／４回転から３／４回転させると、棒状体１３４の先端は、孔１１２ｇから出た状態から、孔１１２ｇを貫通する状態まで進退できるようになっている。螺旋溝１３５ａのピッチを大きくすることで、１／４回転で必要な距離を進退できるようにすることが望ましい。また、この考案の実施例では、取手１３４ａが下方に来たとき、棒状体１３４が孔１１２ｇを貫通するようになっている。すなわち、棒状体１３４の重心が最も下がった状態のとき、係止部としての棒状体１３４が被係止部としての孔１１２ｇに嵌入して上下の側柱１１２，１２２の接続長さを固定するので、固定状態を安定させることができる。
【００２４】
図５は、楔部材１３６の断面図である。楔部材１３６は、枠体１３１と側柱１２２との間に挿入されるものである。楔部材１３６には操作部１３７が設けられているが、この操作部１３７は、枠体１３１に形成された長孔１３１ａを貫通し、枠体１３１の外側に突出している。同時に、楔部材１３６は、操作部１３７が長孔１３１ａに入っているので、枠体１３１から外れないようになっている。
【００２５】
以上の構成を備えた接続具１３０は、図１（ａ）の左側の上下の側柱１１１，１２１にも設けられている。ただし、梯子の大きさや、接続具の大きさなどにより、一方の接続具には、係止部としての棒状体１３４や被係止部としての孔１１２ｇ及び楔部材１３６等が省略できる場合もある。
【００２６】
次に、図２に示す折り畳んだ状態から、図１に示す使用状態にする伸縮式梯子１００の組立方を説明する。
【００２７】
図２に示す折り畳み状態から、右の側柱１１１と１２１と、左の側柱１２１と１２２の組を別々につかみ、左右に開く。次に、接続具１３０の棒状体１３４が孔１１２ｇ等から抜け出ていることを確認して、上の梯子体１１０を上方に引き上げる。伸縮式梯子１００が所望の長さに近づいたら、棒状体１３４といずれかの孔１１２ｇとが重なるように上の梯子体１１０の高さを調整する。そして、棒状体１３４と孔１１２ｇが重なったとき、操作部１３７で楔部材１３６を押し下げる。すると、側柱１１２が側柱１２２に押しつけられ、仮止めされる。すなわち、小さな力では側柱１１２と１２２とは、ずれないようになる。この状態になったら、取手１３４ａを掴んで１／４〜３／４回転回し、係止部としての棒状体１３４を被係止部としての孔１１２ｇ内に入れる。同じことを左右両側の接続具１３０について行うことで、伸縮式梯子１００の組立は完了する。係止部としての棒状体１３４が被係止部としての孔１１２ｇに進入したとき、楔部材１３６が側柱１１２と１２２とを圧接させているので、上下の梯子体１１０と１２０の接続部をガタツキなく接続することができる。
【００２８】
図６は、棒状体１３４を進退させる別の構成例である。この例では、太径部２３５に螺旋溝を設けずに、螺旋面２３５ａを形成している。そして、ケース１３３の内面に形成した凸部１３３ａがこの螺旋面２３５ａに当接するようにし、弾性体２３５ｂにより、凸部１３３ａが螺旋面２３５ａに圧接するようにしている。
【００２９】
ところで、本考案の伸縮式梯子１００は、踏み板１１３，１２３の両端が回動自在な構成なので、このまま使用すると、左右いずれかの方向に倒れるおそれがある。そのため、図１で説明したように筋交１１６等を設けているが、次に、この倒れ防止構造について、説明する。
【００３０】
図７は、倒れ防止構造を構成するストッパ１１７と筋交１１６の図である。図２に示す伸縮式梯子１００が折り畳まれた状態のとき、踏み板１１３は、図７の仮想線に示すように、ほぼ垂直な状態であり、伸縮式梯子１００を開くと、踏み板１１３は、時計方向に回転する。踏み板１１３が側柱１１２に直交する位置まで回転したとき、側柱１１２に設けられたストッパ１１７に当接してそれ以上の回転ができなくなる。このストッパ１１７により伸縮式梯子１００は、図１の左方向に倒れることが防止される。
【００３１】
筋交１１６は、一端１１６ａが側柱１１１に、他端１１６ｂが踏み板１１３に回動自在に係止され、１１６ａ又は１１６ｂの一方が着脱可能となっている。図２のように折り畳むときは、筋交１１６の一方を踏み板１１３又は側柱１１１から外し、使用状態のときに、両端を図７のように係止する。この筋交１１６を使用することで、伸縮式梯子１００は、右方向に倒れることが防止される。したがって、ストッパ１１７と筋交１１６とを設けることで、伸縮式梯子１００は、左右いずれの方向にも倒れることなく使用することができるようになる。
【００３２】
倒れ防止構造の別の方法として、筋交１１６を踏み板１１３と側柱１１２の方にも設ける構成にしてもよい。
【図面の簡単な説明】
【００３３】
【図１】本考案の伸縮式梯子の図で、（ａ）は正面図、（ｂ）は側面図である。
【図２】図１の伸縮式梯子を折り畳んだ状態を示す図で、（ａ）は正面図、（ｂ）は側面図である。
【図３】図１のＡ−Ａ線で切断した拡大断面図である。
【図４】（ａ）は上の梯子体の側柱の断面図、（ｂ）は下の梯子体の側柱の断面図ある。
【図５】楔部材の断面図である。
【図６】棒状体を進退させる別の構成例である。
【図７】倒れ防止構造を構成するストッパと筋交の図である。
【符号の説明】
【００３４】
１００      伸縮式梯子
１１０      梯子体
１２０      梯子体
１１１，１１２，１２１，１２２  側柱
１１２ａ，１２２ａ    本体部
１１２ｂ，１２２ｂ    突起部
１１２ｃ，１２２ｃ    板状部
１１２ｄ，１２２ｄ    拡大部
１１２ｅ，１２２ｅ    空間
１１２ｅ’，１２２ｅ’  開口
１１２ｆ，１２２ｆ    リブ
１１２ｇ    孔
１１３，１２３  踏み板
１１６      筋交
１１７      ストッパ
１３０      接続具
１３１      枠体
１３１ａ    長孔
１３２      ボルト
１３３      ケース
１３３ａ    凸部
１３４      棒状体
１３４ａ    取手
１３５，２３５      太径部
１３５ａ    螺旋溝
１３６      楔部材
１３７      操作部
２３５ｂ    弾性体
２３５ａ    螺旋面
【図１】
0003127879.tif 000003
【図２】
0003127879.tif 000004
【図３】
0003127879.tif 000005
【図４】
0003127879.tif 000006
【図５】
0003127879.tif 000007
【図６】
0003127879.tif 000008
【図７】
0003127879.tif 000009